(57)【要約】  挿入穴に対して挿入部材が傾いた状態となった場合でも安定した密封性能を発揮するガスケットを提供する。  挿入部材９００とは間隔を空けた状態で挿入穴８１０の内周面に密着された状態で固定される胴体部１２１と、胴体部１２１から胴体部１２１の内周面側に向かって伸びるように設けられ、かつ撓み変形可能な可撓部１２２と、を備えると共に、可撓部１２２は、挿入部材９００の拡張面部９２０に押し込まれることで撓んだ状態となり、かつハウジング８００及び挿入部９１０とはそれぞれ間隔を空けた状態で拡張面部９２０に密着することを特徴とする。
2019093012.tif 000002
【特許請求の範囲】
【請求項１】
挿入穴を有するハウジングと、前記挿入穴に挿入される挿入部及び前記挿入穴には挿入されない位置で前記挿入部の外周面から外側に向かって拡がる拡張面部を有する挿入部材と、の間の環状隙間を封止するガスケットであって、
前記挿入部材とは間隔を空けた状態で前記挿入穴の内周面に密着された状態で固定される胴体部と、
前記胴体部から該胴体部の内周面側に向かって伸びるように設けられ、かつ撓み変形可能な可撓部と、
を備えると共に、
前記可撓部は、前記挿入部材の前記拡張面部に押し込まれることで撓んだ状態となり、かつ前記ハウジング及び前記挿入部とはそれぞれ間隔を空けた状態で前記拡張面部に密着することを特徴とするガスケット。
【請求項２】
前記可撓部は、前記胴体部における前記拡張面部側の端面に対して、前記拡張面部側とは反対側に離れた位置から伸びるように設けられることで、前記胴体部と前記可撓部との間には環状溝部が形成されていることを特徴とする請求項１に記載のガスケット。
【請求項３】
前記胴体部は、内周面側と外周面側にそれぞれ円柱面部を有する筒状部により構成されると共に、
前記可撓部は、
前記胴体部から該胴体部の内周面側に向かって伸び、かつ内周面側と外周面側がいずれも前記拡張面部に向かって縮径する縮径部と、
前記縮径部から前記拡張面部に向かって伸びる円筒状部と、
を備え、
前記円筒状部の外径は、前記胴体部の内周面のうち最も小径の内径よりも小さいことを特徴とする請求項１または２に記載のガスケット。
【請求項４】
前記可撓部には、前記円筒状部よりも前記拡張面部側に設けられると共に、該拡張面部に押し込まれる際に前記可撓部の撓み方向を決定付ける先端部が備えられることを特徴とする請求項３に記載のガスケット。
【請求項５】
前記先端部は、径方向外側に向かって膨らむ部位を有することで最大肉厚部が前記円筒状部の肉厚よりも厚く構成されると共に、前記拡張面部側の端部に該拡張面部に向かって拡径する傾斜面を有することを特徴とする請求項４に記載のガスケット。
【請求項６】
前記先端部における最大肉厚部は前記縮径部の肉厚よりも厚く構成されることを特徴とする請求項５に記載のガスケット。
【請求項７】
前記先端部は、径方向内側に向かって膨らむ部位を有することで最大肉厚部が前記円筒状部の肉厚よりも厚く構成されると共に、前記拡張面部側の端部に該拡張面部に向かって縮径する傾斜面を有することを特徴とする請求項４に記載のガスケット。
【請求項８】
前記先端部における最大肉厚部は前記縮径部の肉厚よりも厚く構成されることを特徴とする請求項７に記載のガスケット。
【発明の詳細な説明】
【技術分野】
【０００１】
本発明は、挿入穴を有するハウジングと、挿入穴に挿入される挿入部材との間の環状隙間を封止するガスケットに関する。
【背景技術】
【０００２】
挿入穴を有するハウジングと、挿入穴に挿入される挿入部材との間の環状隙間を封止するガスケットにおいては、一般的に、ハウジング側の１以上の面と挿入部材側の１以上の面の合計３以上の面に密着するように構成される（特許文献１，２参照）。このように構成されるガスケットにおいては、ハウジングの挿入穴に対する挿入部材の位置が適正であれば、安定した密封性能が保たれる。【０００３】
しかしながら、上記のようなガスケットにおいては、３以上の複数の面によって拘束されるが故に、寸法公差や取り付け方や振動等によって、挿入穴に対して挿入部材が傾いた状態になると密着状態が保たれない箇所が生じて密封性能が不安定になることがある。
【先行技術文献】
【特許文献】
【０００４】
【特許文献１】特開２０１５−１０５５８５号公報
【特許文献２】特開平１１−１７３４２３号公報
【発明の概要】
【発明が解決しようとする課題】
【０００５】
本発明の目的は、挿入穴に対して挿入部材が傾いた状態となった場合でも安定した密封性能を発揮するガスケットを提供することにある。
【課題を解決するための手段】
【０００６】
本発明は、上記課題を解決するために以下の手段を採用した。【０００７】
すなわち、本発明のガスケットは、
挿入穴を有するハウジングと、前記挿入穴に挿入される挿入部及び前記挿入穴には挿入されない位置で前記挿入部の外周面から外側に向かって拡がる拡張面部を有する挿入部材と、の間の環状隙間を封止するガスケットであって、
前記挿入部材とは間隔を空けた状態で前記挿入穴の内周面に密着された状態で固定される胴体部と、
前記胴体部から該胴体部の内周面側に向かって伸びるように設けられ、かつ撓み変形可能な可撓部と、
を備えると共に、
前記可撓部は、前記挿入部材の前記拡張面部に押し込まれることで撓んだ状態となり、かつ前記ハウジング及び前記挿入部とはそれぞれ間隔を空けた状態で前記拡張面部に密着することを特徴とする。【０００８】
本発明のガスケットによれば、ハウジングの挿入穴の内周面に胴体部が密着し、挿入部材の拡張面部に可撓部が密着することで、ハウジングと挿入部材との間の環状隙間が封止される。そして、可撓部は、撓んだ状態で拡張面部に密着すると共に、ハウジングと挿入部とはそれぞれ間隔を空けた状態が保たれる。従って、挿入穴に対して挿入部材が傾いた状態となった場合でも、可撓部は、ハウジング及び挿入部から拘束されることなく、可撓部自体が挿入穴に対する挿入部材の傾き状態に応じて変形することで、拡張面部への密着状態を維持させることができる。【０００９】
前記可撓部は、前記胴体部における前記拡張面部側の端面に対して、前記拡張面部側とは反対側に離れた位置から伸びるように設けられることで、前記胴体部と前記可撓部との間には環状溝部が形成されているとよい。【００１０】
これにより、ガスケットの全長を長くすることなく、可撓部を長くすることができる。そして、可撓部を長くすることで、撓み変形が可能な量を大きくすることができる。【００１１】
前記胴体部は、内周面側と外周面側にそれぞれ円柱面部を有する筒状部により構成されると共に、
前記可撓部は、
前記胴体部から該胴体部の内周面側に向かって伸び、かつ内周面側と外周面側がいずれも前記拡張面部に向かって縮径する縮径部と、
前記縮径部から前記拡張面部に向かって伸びる円筒状部と、
を備え、
前記円筒状部の外径は、前記胴体部の内周面のうち最も小径の内径よりも小さいとよい。【００１２】
これにより、円筒状部を撓み易くすることができる。【００１３】
前記可撓部には、前記円筒状部よりも前記拡張面部側に設けられると共に、該拡張面部に押し込まれる際に前記可撓部の撓み方向を決定付ける先端部が備えられるとよい。【００１４】
これにより、先端部によって可撓部の撓み方向が決定付けられるため、可撓部の変形の仕方がばらついてしまったり、拡張面部に密着する位置がばらついてしまったりすることを抑制することができる。【００１５】
前記先端部は、径方向外側に向かって膨らむ部位を有することで最大肉厚部が前記円筒状部の肉厚よりも厚く構成されると共に、前記拡張面部側の端部に該拡張面部に向かって拡径する傾斜面を有するとよい。【００１６】
これにより、先端部が拡張面部に押し込まれる際に、先端部は、その先端が径方向外側に傾くように変形することで、円筒状部が径方向内側に向かって凹むように可撓部を変形させることができる。また、前記先端部における最大肉厚部は前記縮径部の肉厚よりも厚く構成されると、より好適である。【００１７】
また、前記先端部は、径方向内側に向かって膨らむ部位を有することで最大肉厚部が前記円筒状部の肉厚よりも厚く構成されると共に、前記拡張面部側の端部に該拡張面部に向かって縮径する傾斜面を有することも好適である。【００１８】
これにより、先端部が拡張面部に押し込まれる際に、先端部は、その先端が径方向内側に傾くように変形することで、円筒状部が径方向外側に向かって膨らむように可撓部を変形させることができる。また、前記先端部における最大肉厚部は前記縮径部の肉厚よりも厚く構成されると、より好適である。【００１９】
なお、上記各構成は、可能な限り組み合わせて採用し得る。
【発明の効果】
【００２０】
以上説明したように、本発明によれば、挿入穴に対して挿入部材が傾いた状態となった場合でも安定した密封性能を発揮させることができる。
【図面の簡単な説明】
【００２１】
【図１】図１は本発明の実施例１に係るガスケットの模式的断面図である。
【図２】図２は本発明の実施例１に係る密封構造の模式的断面図である。
【図３】図３は本発明の実施例２に係るガスケットの模式的断面図である。
【図４】図４は本発明の実施例２に係る密封構造の模式的断面図である。
【図５】図５は本発明の実施例３に係るガスケットの模式的断面図である。
【図６】図６は本発明の実施例３に係る密封構造の模式的断面図である。
【発明を実施するための形態】
【００２２】
以下に図面を参照して、この発明を実施するための形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。本実施例に係るガスケットは、挿入穴を有するハウジングと、挿入穴に挿入される挿入部材との間の環状隙間を封止する役割を担っている。ハウジングの具体例としては、例えば、ヘッドカバーやインバーターケースを挙げることができる。また、挿入部材の具体例としては、インジェクションパイプやプラグチューブを挙げることができる。
【００２３】
（実施例１）
図１及び図２を参照して、本発明の実施例１に係る密封装置について説明する。図１は本発明の実施例１に係るガスケットの模式的断面図である。なお、本実施例に係るガスケットは回転対称形状であり、図１においては、ガスケットの中心軸線を含む面でガスケットを切断した断面図を示している。また、図１においては、ガスケットとハウジング及び挿入部材との配置関係や寸法関係が分かり易いように、点線にて、ハウジングの内周面と挿入部材の外周面を示している。図２は本発明の実施例１に係る密封構造の模式的断面図である。図２においても、ガスケットの中心軸線を含む面で、ガスケット等を切断した断面図を示している。
【００２４】
＜ハウジング及び挿入部材＞
ハウジング８００及び挿入部材９００について説明する。ハウジング８００は、挿入穴８１０を有している。この挿入穴８１０の内周面のうち少なくともガスケット１００が密着する部位は円柱面により構成されている。なお、図示の例では、挿入穴８１０の内周面に段差が設けられているが、段差は必ずしも必要ではない。挿入部材９００は、挿入穴８１０に挿入される挿入部９１０と、挿入穴８１０には挿入されない位置で挿入部９１０の外周面から外側に向かって拡がる拡張面部９２０とを有している。挿入部材９００の具体的な形状の一例として、円柱状部分と、円柱状部分に設けられる外向きフランジ部とを有する形状を挙げることができる。この場合、円柱状部分が挿入部９１０に相当し、外向きフランジ部における挿入部９１０側の端面が拡張面部９２０に相当する。しかしながら、本実施例に係るガスケット１００が適用される挿入部材９００の形状は、そのような形状には限定されない。また、図示の例では、挿入部９１０の外周面９１０ａは円柱面の場合を示しているが、外周面９１０ａの形状は特に限定されることはない。また、拡張面部９２０についても、外向きフランジ部の端面である必要はない。更に、図示の例では、拡張面部９２０が、ガスケット１００の中心軸線に対して垂直な平面で構成される場合を示しているが、ガスケット１００が適用される拡張面部９２０は必ずしも平面でなくてもよい。例えば、拡張面部９２０は挿入部９１０側に向かって縮径する傾斜面（例えば、テーパ面）で構成されていてもよいし、挿入部９１０側に向かって拡径する傾斜面（例えば、テーパ面）で構成されていてもよい。
【００２５】
＜ガスケット＞
ガスケット１００について、より詳細に説明する。ガスケット１００は、補強環１１０と、補強環１１０に対して一体的に設けられるゴム状弾性体製のガスケット本体１２０とから構成される。例えば、補強環１１０をインサート部品として、インサート成形によりガスケット本体１２０を成形することによりガスケット１００が得られる。そして、ガスケット本体１２０は、胴体部１２１と、胴体部１２１から胴体部１２１の内周面側に向かって伸びるように設けられ、かつ撓み変形可能な可撓部１２２とから構成される。胴体部１２１は、挿入部材９００とは間隔を空けた状態で挿入穴８１０の内周面に密着された状態で固定されるように構成されている（図２参照）。この胴体部１２１は、内周面側と外周面側にそれぞれ円柱面部を有する筒状部により構成される。また、胴体部１２１の外周面側には、環状のシール突起１２１ａ，１２１ｂが設けられている。
【００２６】
また、可撓部１２２は、挿入部材９００の拡張面部９２０に押し込まれることで撓んだ状態となり、かつハウジング８００及び挿入部９１０とはそれぞれ間隔を空けた状態で拡張面部９２０に密着するように構成される。そして、この可撓部１２２は、胴体部１２１から胴体部１２１の内周面側に向かって伸び、かつ内周面側と外周面側がいずれも拡張面部９２０に向かって縮径する縮径部１２２ａと、縮径部１２２ａから拡張面部９２０に向かって伸びる円筒状部１２２ｂとを備えている。円筒状部１２２ｂの外径Ｄ１１は、胴体部１２１の内周面のうち最も小径の内径Ｄ１２よりも小さくなるように設計されている。また、可撓部１２２において、円筒状部１２２ｂよりも拡張面部９２０側には、先端部１２２ｃが設けられている。この先端部１２２ｃは、拡張面部９２０に押し込まれる際に可撓部１２２の撓み方向を決定付けるように設計されている。より具体的には、本実施例に係る先端部１２２ｃにおいては、径方向外側に向かって膨らむ部位を有することで最大肉厚部ｔ１１が円筒状部１２２ｂの肉厚ｔ１２よりも厚く構成されている。また、最大肉厚部ｔ１１は縮径部１２２ａの肉厚ｔ１３よりも厚く構成されている。すなわち、ｔ１１＞ｔ１２≧ｔ１３またはｔ１１＞ｔ１３≧ｔ１２を満たす。また、先端部１２２ｃにおける拡張面部９２０側の端部に、拡張面部９２０に向かって拡径する傾斜面１２２ｃ１が設けられている。本実施例に係る傾斜面１２２ｃ１は、テーパ面で構成されているが、当該傾斜面は断面で見た場合に曲線となるような傾斜面とすることもできる。
【００２７】
＜密封構造＞
本実施例に係るガスケット１００を用いた密封構造について説明する。ハウジング８００の挿入穴８１０に挿入部材９００が挿入される前の状態で、挿入穴８１０にガスケット１００が装着される。これにより、挿入穴８１０の内周面にガスケット１００の胴体部１２１の外周面が密着した状態となる。そして、挿入部材９００が挿入穴８１０に挿入されると、挿入部材９００の拡張面部９２０によって、ガスケット１００の可撓部１２２における先端部１２２ｃが押し込まれる。先端部１２２ｃは、上記の通り、径方向外側に向かって膨らむ部位を有し、かつ拡張面部９２０側の端部に、拡張面部９２０に向かって拡径する傾斜面１２２ｃ１が設けられている。そのため、先端部１２２ｃが拡張面部９２０に押し込まれる際に、先端部１２２ｃは、その先端が径方向外側に傾くように変形することで、円筒状部１２２ｂが径方向内側に向かって凹むように可撓部１２２は変形する（図２参照）。また、撓んだ状態の可撓部１２２は、ハウジング８００及び挿入部９１０とはそれぞれ間隔を空けた状態で拡張面部９２０に密着した状態となる。
【００２８】
＜本実施例に係るガスケットの優れた点＞
本実施例に係るガスケット１００によれば、ハウジング８００の挿入穴８１０の内周面に胴体部１２１が密着し、挿入部材９００の拡張面部９２０に可撓部１２２が密着することで、ハウジング８００と挿入部材９００との間の環状隙間が封止される。そして、可撓部１２２は、撓んだ状態で拡張面部９２０に密着すると共に、ハウジング８００と挿入部９１０とはそれぞれ間隔を空けた状態が保たれる。従って、挿入穴８１０に対して挿入部材９００が傾いた状態となった場合でも、可撓部１２２は、ハウジング８００及び挿入部９１０から拘束されることなく、可撓部１２２自体が挿入穴８１０に対する挿入部材９００の傾き状態に応じて変形する。これにより、可撓部１２２の拡張面部９２０への密着状態を維持させることができる。従って、挿入穴８１０に対して挿入部材９００が傾いた状態となった場合でも安定した密封性能が発揮される。
【００２９】
また、円筒状部１２２ｂの外径Ｄ１１は、胴体部１２１の内周面のうち最も小径の内径Ｄ１２よりも小さくなるように設計されているため、円筒状部１２２ｂを撓み易くさせることができる。これにより、可撓部１２２が撓む過程で、先端部１２２ｃの拡張面部９２０に対する密着位置が大きく移動してしまうことを抑制することができる。従って、拡張面部９２０に対する先端部１２２ｃの密着位置のバラツキを抑制することができ、また、先端部１２２ｃが径方向外側に大きく広がってしまうことも抑制することができる。
【００３０】
また、本実施例に係るガスケット１００においては、先端部１２２ｃによって可撓部１２２の撓み方向が決定付けられるため、可撓部１２２の変形の仕方がばらついてしまったり、拡張面部９２０に密着する位置がばらついてしまったりすることを抑制することができる。更に、先端部１２２ｃの最大肉厚部ｔ１１は、円筒状部１２２ｂの肉厚ｔ１２よりも厚く、剛性が高いため、先端部１２２ｃが径方向外側に大きく広がってしまうことを、より確実に抑制することができる。また、先端部１２２ｃの最大肉厚部ｔ１１は、縮径部１２２ａの肉厚ｔ１３よりも厚く、剛性が高いことによっても、先端部１２２ｃが径方向外側に大きく広がってしまうことを、より確実に抑制することができる。
【００３１】
（実施例２）
図３及び図４を参照して、本発明の実施例２に係る密封装置について説明する。図３は本発明の実施例２に係るガスケットの模式的断面図である。なお、本実施例に係るガスケットは回転対称形状であり、図３においては、ガスケットの中心軸線を含む面でガスケットを切断した断面図を示している。また、図３においては、ガスケットとハウジング及び挿入部材との配置関係や寸法関係が分かり易いように、点線にて、ハウジングの内周面と挿入部材の外周面を示している。図４は本発明の実施例２に係る密封構造の模式的断面図である。図４においても、ガスケットの中心軸線を含む面で、ガスケット等を切断した断面図を示している。
【００３２】
ハウジング８００及び挿入部材９００については、上記実施例１で説明した通りであるので、その説明は省略する。
【００３３】
本実施例に係るガスケット２００について説明する。ガスケット２００は、補強環２１０と、補強環２１０に対して一体的に設けられるゴム状弾性体製のガスケット本体２２０とから構成される。例えば、補強環２１０をインサート部品として、インサート成形によりガスケット本体２２０を成形することによりガスケット２００が得られる。そして、ガスケット本体２２０は、胴体部２２１と、胴体部２２１から胴体部２２１の内周面側に向かって伸びるように設けられ、かつ撓み変形可能な可撓部２２２とから構成される。胴体部２２１は、挿入部材９００とは間隔を空けた状態で挿入穴８１０の内周面に密着された状態で固定されるように構成されている（図４参照）。この胴体部２２１は、内周面側と外周面側にそれぞれ円柱面部を有する筒状部により構成される。また、胴体部２２１の外周面側には、環状のシール突起２２１ａ，２２１ｂが設けられている。
【００３４】
また、可撓部２２２は、挿入部材９００の拡張面部９２０に押し込まれることで撓んだ状態となり、かつハウジング８００及び挿入部９１０とはそれぞれ間隔を空けた状態で拡張面部９２０に密着するように構成される。そして、この可撓部２２２は、胴体部２２１から胴体部２２１の内周面側に向かって伸び、かつ内周面側と外周面側がいずれも拡張面部９２０に向かって縮径する縮径部２２２ａと、縮径部２２２ａから拡張面部９２０に向かって伸びる円筒状部２２２ｂとを備えている。円筒状部２２２ｂの外径Ｄ２１は、胴体部２２１の内周面のうち最も小径の内径Ｄ２２よりも小さくなるように設計されている。また、可撓部２２２において、円筒状部２２２ｂよりも拡張面部９２０側には、先端部２２２ｃが設けられている。この先端部２２２ｃは、拡張面部９２０に押し込まれる際に可撓部２２２の撓み方向を決定付けるように設計されている。より具体的には、本実施例に係る先端部２２２ｃにおいては、径方向外側に向かって膨らむ部位を有することで最大肉厚部ｔ２１が円筒状部２２２ｂの肉厚ｔ２２よりも厚く構成されている。また、最大肉厚部ｔ２１は縮径部２２２ａの肉厚ｔ２３よりも厚く構成されている。すなわち、ｔ２１＞ｔ２２≧ｔ２３またはｔ２１＞ｔ２３≧ｔ２２を満たす。また、先端部２２２ｃにおける拡張面部９２０側の端部に、拡張面部９２０に向かって拡径する傾斜面２２２ｃ１が設けられている。本実施例に係る傾斜面２２２ｃ１は、テーパ面で構成されているが、当該傾斜面は断面で見た場合に曲線となるような傾斜面とすることもできる。
【００３５】
そして、本実施例に係るガスケット２００においては、可撓部２２２は、胴体部２２１における拡張面部９２０側の端面に対して、拡張面部９２０側とは反対側に離れた位置から伸びるように設けられている。これにより、胴体部２２１と可撓部２２２との間には環状溝部２３０が形成されている。
【００３６】
本実施例に係るガスケット２００を用いた密封構造については、上記実施例１の場合と同様であるので、その説明は省略する。
【００３７】
以上のように構成されるガスケット２００においても、上記実施例１の場合と同様の効果を得ることができる。また、本実施例に係るガスケット２００においては、上記の通り、可撓部２２２は、胴体部２２１における拡張面部９２０側の端面に対して、拡張面部９２０側とは反対側に離れた位置から伸びるように設けられている。これにより、ガスケット２００の全長を長くすることなく、可撓部２２２を長くすることができる。従って、可撓部２２２を長くすることで、撓み変形が可能な量を大きくすることができる。また、先端部２２２ｃを実施例１の場合に比べて、径方向外側に拡がり難くすることもできる。
【００３８】
（実施例３）
図５及び図６を参照して、本発明の実施例３に係る密封装置について説明する。図５は本発明の実施例３に係るガスケットの模式的断面図である。なお、本実施例に係るガスケットは回転対称形状であり、図５においては、ガスケットの中心軸線を含む面でガスケットを切断した断面図を示している。また、図５においては、ガスケットとハウジング及び挿入部材との配置関係や寸法関係が分かり易いように、点線にて、ハウジングの内周面と挿入部材の外周面を示している。図６は本発明の実施例３に係る密封構造の模式的断面図である。図６においても、ガスケットの中心軸線を含む面で、ガスケット等を切断した断面図を示している。
【００３９】
ハウジング８００及び挿入部材９００については、上記実施例１で説明した通りであるので、その説明は省略する。
【００４０】
＜ガスケット＞
本実施例に係るガスケット３００について説明する。ガスケット３００は、補強環３１０と、補強環３１０に対して一体的に設けられるゴム状弾性体製のガスケット本体３２０とから構成される。例えば、補強環３１０をインサート部品として、インサート成形によりガスケット本体３２０を成形することによりガスケット３００が得られる。そして、ガスケット本体３２０は、胴体部３２１と、胴体部３２１から胴体部３２１の内周面側に向かって伸びるように設けられ、かつ撓み変形可能な可撓部３２２とから構成される。胴体部３２１は、挿入部材９００とは間隔を空けた状態で挿入穴８１０の内周面に密着された状態で固定されるように構成されている（図６参照）。この胴体部３２１は、内周面側と外周面側にそれぞれ円柱面部を有する筒状部により構成される。また、胴体部３２１の外周面側には、環状のシール突起３２１ａ，３２１ｂが設けられている。
【００４１】
また、可撓部３２２は、挿入部材９００の拡張面部９２０に押し込まれることで撓んだ状態となり、かつハウジング８００及び挿入部９１０とはそれぞれ間隔を空けた状態で拡張面部９２０に密着するように構成される。そして、この可撓部３２２は、胴体部３２１から胴体部３２１の内周面側に向かって伸び、かつ内周面側と外周面側がいずれも拡張面部９２０に向かって縮径する縮径部３２２ａと、縮径部３２２ａから拡張面部９２０に向かって伸びる円筒状部３２２ｂとを備えている。円筒状部３２２ｂの外径Ｄ３１は、胴体部３２１の内周面のうち最も小径の内径Ｄ３２よりも小さくなるように設計されている。また、可撓部３２２において、円筒状部３２２ｂよりも拡張面部９２０側には、先端部３２２ｃが設けられている。この先端部３２２ｃは、拡張面部９２０に押し込まれる際に可撓部３２２の撓み方向を決定付けるように設計されている。より具体的には、本実施例に係る先端部３２２ｃにおいては、径方向内側に向かって膨らむ部位を有することで最大肉厚部ｔ３１が円筒状部３２２ｂの肉厚ｔ３２よりも厚く構成されている。また、最大肉厚部ｔ３１は縮径部３２２ａの肉厚ｔ３３よりも厚く構成されている。すなわち、ｔ３１＞ｔ３２≧ｔ３３またはｔ３１＞ｔ３３≧ｔ３２を満たす。また、先端部３２２ｃにおける拡張面部９２０側の端部に、拡張面部９２０に向かって縮径する傾斜面３２２ｃ１が設けられている。本実施例に係る傾斜面３２２ｃ１は、テーパ面で構成されているが、当該傾斜面は断面で見た場合に曲線となるような傾斜面とすることもできる。
【００４２】
そして、本実施例に係るガスケット３００においては、可撓部３２２は、胴体部３２１における拡張面部９２０側の端面に対して、拡張面部９２０側とは反対側に離れた位置から伸びるように設けられている。これにより、胴体部３２１と可撓部３２２との間には環状溝部３３０が形成されている。
【００４３】
＜密封構造＞
本実施例に係るガスケット３００を用いた密封構造について説明する。ハウジング８００の挿入穴８１０に挿入部材９００が挿入される前の状態で、挿入穴８１０にガスケット３００が装着される。これにより、挿入穴８１０の内周面にガスケット３００の胴体部３２１の外周面が密着した状態となる。そして、挿入部材９００が挿入穴８１０に挿入されると、挿入部材９００の拡張面部９２０によって、ガスケット３００の可撓部３２２における先端部３２２ｃが押し込まれる。先端部３２２ｃは、上記の通り、径方向内側に向かって膨らむ部位を有し、かつ拡張面部９２０側の端部に、拡張面部９２０に向かって縮径する傾斜面３２２ｃ１が設けられている。そのため、先端部３２２ｃが拡張面部９２０に押し込まれる際に、先端部３２２ｃは、その先端が径方向内側に傾くように変形することで、円筒状部３２２ｂが径方向外側に向かって膨らむように可撓部３２２は変形する（図６参照）。また、撓んだ状態の可撓部３２２は、ハウジング８００及び挿入部９１０とはそれぞれ間隔を空けた状態で拡張面部９２０に密着した状態となる。
【００４４】
以上のように構成されるガスケット３００においても、上記実施例１の場合と同様の効果を得ることができる。また、本実施例に係るガスケット３００においては、上記実施例２の場合と同様に、ガスケット３００の全長を長くすることなく、可撓部３２２を長くすることができる。従って、可撓部３２２を長くすることで、撓み変形が可能な量を大きくすることができる。また、本実施例の場合には、上記実施例１，２の場合とは異なり、円筒状部３２２ｂが径方向外側に向かって膨らむように可撓部３２２は変形し、先端部３２２ｃは径方向内側を向いた状態となる。従って、拡張面部９２０の径方向寸法が短い場合であっても、先端部３２２ｃが拡張面部９２０の外側にはみ出してしまうということはない。
【００４５】
なお、本実施例においては、上記実施例２の場合と同様に、環状溝部３３０が形成される場合の構成を示したが、実施例１の場合のように、環状溝部が形成されない構成を採用してもよい。
【符号の説明】
【００４６】
１００，２００，３００  ガスケット
１１０，２１０，３１０  補強環
１２０，２２０，３２０  ガスケット本体
１２１，２２１，３２１  胴体部
１２１ａ，１２１ｂ，２２１ａ，２２１ｂ，３２１ａ，３２１ｂ  シール突起
１２２，２２２，３２２  可撓部
１２２ａ，２２２ａ，３２２ａ  縮径部
１２２ｂ，２２２ｂ，３２２ｂ  円筒状部
１２２ｃ，２２２ｃ，３２２ｃ  先端部
１２２ｃ１，２２２ｃ１，３２２ｃ１  傾斜面
２３０，３３０  環状溝部
８００  ハウジング
８１０  挿入穴
９００  挿入部材
９１０  挿入部
９１０ａ  外周面
９２０  拡張面部
【図１】
2019093012.tif 000003
【図２】
2019093012.tif 000004
【図３】
2019093012.tif 000005
【図４】
2019093012.tif 000006
【図５】
2019093012.tif 000007
【図６】
2019093012.tif 000008
【国際調査報告】
2019093012.tif 000009
2019093012.tif 000010